(57)【要約】収納/展開時の操作が極めて便利な展開/収納可能なテントフレームを提供する。本発明は、底台10、底台10上に設置する展開/収納可能なテントフレームポール、テントフレームポールの収納/展開をコントロールする中間サポートポール23を備え、中間サポートポール23頂端はテントフレームポール上の固定位置に可動状に接続し、その底端は底台10上にスライド式に可動状に接続し、中間サポートポール23が、その底端の、底台10上でのスライド移動を利用し立ち上がると、テントフレームポールはこれに従い展開し、中間サポートポール23が、その底端の、底台10上のスライド移動を利用し傾倒すると、テントフレームポールはこれに従い折り畳み収納され、中間サポートポール23底端の、底台10上でのスライド移動をコントロールすることで、テントの折り畳み収納或いは展開を迅速に実現することができ、その構造は簡単で、しかも操作は便利である。
2014522927.tif 000002
【特許請求の範囲】
【請求項１】
底台、前記底台上に設置する展開/収納可能なテントフレームポール、前記テントフレームポールの収納/展開をコントロールする中間サポートポールを備える、展開/収納可能なテントフレームであって、
前記中間サポートポールの頂端は、前記テントフレームポール上の固定位置に可動状に接続し、その底端は、前記底台上にスライド式に可動状に接続し、
前記中間サポートポールが、その底端の、前記底台上でのスライド移動を利用し立ち上がると、前記テントフレームポールはこれに従い展開され、
前記中間サポートポールが、その底端の、前記底台上でのスライド移動を利用し傾倒すると、前記テントフレームポールはこれに従い折り畳み収納されることを特徴とする展開/収納可能なテントフレーム。
【請求項２】
前記中間サポートポールには、前記中間サポートポール底端のスライド移動をコントロールするコントロール機構を設置し、
前記コントロール機構は、牽引ロープ、前記牽引ロープを巻きつけるロープリール、前記ロープリールを駆動し、前記牽引ロープを巻きつけ/釈放する駆動装置を備え、
前記牽引ロープの自由端は、前記中間サポートポール底端に連接することを特徴とする、請求項１に記載の展開/収納可能なテントフレーム。
【請求項３】
前記テントフレームポールは、前サポートポールと後サポートポールを備え、
前記前サポートポールの底端は、前記底台の片側に可動状に接続し、
前記後サポートポールは、相互に向かい合わせに折れる上サポートポールと下サポートポールを備え、前記上サポートポール頂端は、前記前サポートポール頂端に可動状に接続し、前記上サポートポールの底端と前記下サポートポールの頂端は可動状に接続し、前記下サポートポールの底端は、前記底台の反対側に可動状に接続し、
前記中間サポートポールの頂端は、前記後サポートポールの上サポートポール、或いは前記下サポートポール上に可動状に接続することを特徴とする、請求項２に記載の展開/収納可能なテントフレーム。
【請求項４】
前記テントフレームポール中の１個の前サポートポールと１個の後サポートポールによりサポートポールユニットを構成し、
前記テントフレームポールは、２個のサポートポールユニットを備え、前記両側のサポートポールユニットの間には、横方向連ポールを連接し、前記２個のサポートポールユニットに対応し、それぞれ中間サポートポールを設置することを特徴とする、請求項３に記載の展開/収納可能なテントフレーム。
【請求項５】
前記コントロール機構は、前記両側の中間サポートポール底端に連接する２本の牽引ロープを備え、前記各牽引ロープには、それぞれロープリールを設置し、
前記駆動装置は、回転ポールを備え、前記回転ポール両端は、前記両側のロープリールにそれぞれ連接し、前記両側のロープリールをシンクロ駆動することを特徴とする、請求項４に記載の展開/収納可能なテントフレーム。
【請求項６】
前記回転ポール上には、ウォームギアを固定式に嵌めて接続し、ウォームポールを設置し、前記ウォームギアと噛み合い、前記回転ポールを駆動し、前記ウォームポールには、ハンドルを連接することを特徴とする、請求項５に記載の展開/収納可能なテントフレーム。
【請求項７】
前記底台内には、前記両側の中間サポートポール底端とそれぞれ対応するスライドレールを設置し、前記各スライドレールの延伸方向に沿って、線溝を備え、前記両側の線溝の末端には、前記ロープリールを収納する収容設置溝をそれぞれ備え、前記両側の収容設置溝の間には、ピボット溝を連通し、
前記回転ポールは、前記ピボット溝内に位置し、前記ロープリールは、前記収容設置溝内に位置し、前記牽引ロープは、線溝内に位置することを特徴とする、請求項６に記載の展開/収納可能なテントフレーム。
【請求項８】
前記横方向連ポールは、前記両側の前サポートポールとの間に連接する直ポール、前記両側の後サポートポールとの間に連接するU形湾ポールを備えることを特徴とする、請求項４に記載の展開/収納可能なテントフレーム。
【請求項９】
前記牽引ロープには、２個の定スライドホイールを設置し、前記２個の定スライドホイール間には、挟溝を形成し、
前記牽引ロープは、その内の１個の定スライドホイールのスライド溝、２個の定スライドホイール間の挟溝、もう１個のスライドホイールのスライド溝を順番に通過することを特徴とする、請求項２に記載の展開/収納可能なテントフレーム。
【請求項１０】
前記ウォームポールには、モーターを連接し、前記ウォームポールを駆動し、前記底台内には、前記両側の中間サポートポール底端とそれぞれ対応するスライドレールを設置し、
前記スライドレール両端には、前記モーターの正反転の行程をコントロールするリミットスイッチを設置することを特徴とする、請求項６に記載の展開/収納可能なテントフレーム。
【発明の詳細な説明】
【技術分野】
【０００１】
本発明はテントフレームに関し、特に展開/収納可能なテントフレームに関する。
【背景技術】
【０００２】
現有のテントは、テント布とテント布を支えるテントフレームを備える。テントフレームは、多数組のサポートポールが連接して構成する。
【０００３】
テントの折り畳み収納を実現し、テントの收納と携帯の便を図るため、通常のテントフレームは一般に、サポートポールが多数の関節等を通して可動状に接続する。よって、その構造は複雑で、しかも展開或いは折り畳み収納時には、各関節或いは固定構造等に対して、しばしば個別に操作を行わなければならない。そのため、操作過程は面倒で、長い時間がかかり、使用において非常に不便である。
本発明は、従来の展開/収納可能なテントフレームの上記した欠点に鑑みてなされたものである。
【先行技術文献】
【特許文献】
【０００４】
【特許文献１】なし
【発明の概要】
【発明が解決しようとする課題】
【０００５】
本発明が解決しようとする課題は、構造が簡単で、しかも収納/展開時の操作が極めて便利な展開/収納可能なテントフレームを提供することである。
【課題を解決するための手段】
【０００６】
上記課題を解決するために、本発明は下記の展開/収納可能なテントフレームを提供する。
展開/収納可能なテントフレームは、底台、該底台上に設置し、展開/収納可能なテントフレームポール、該テントフレームポールの収納/展開をコントロールする中間サポートポールを備え、
該中間サポートポール頂端は、該テントフレームポール上の固定位置に可動状に接続し、その底端は、該底台上にスライド式に可動状に接続し、
該中間サポートポールが、その底端の、該底台上でのスライド移動を利用し立ち上がると、テントフレームポールはこれに従い展開され、
該中間サポートポールが、その底端の、該底台上でのスライド移動を利用し傾倒すると、テントフレームポールはこれに従い折り畳み収納され、
好ましくは、該中間サポートポールには、中間サポートポール底端のスライド移動をコントロールするコントロール機構を設置し、該コントロール機構は、牽引ロープ、該牽引ロープを巻きつけるロープリール、該ロープリールを駆動し、該牽引ロープを巻きつけ/釈放する駆動装置を備え、該牽引ロープの自由端は、該中間サポートポール底端に連接し、
好ましくは、テントフレームポールは、前サポートポールと後サポートポールを備え、該前サポートポールの底端は、該底台の片側に可動状に接続し、後サポートポールは、相互に向かい合わせに折れる上サポートポールと下サポートポールを備え、該上サポートポール頂端は、前サポートポール頂端に可動状に接続し、該上サポートポールの底端と該下サポートポールの頂端は、可動状に接続し、該下サポートポールの底端は、該底台の反対側に可動状に接続し、該中間サポートポールの頂端は、該後サポートポールの上サポートポール、或いは該下サポートポール上に可動状に接続し、
好ましくは、テントフレームポール中の１個の前サポートポールと１個の後サポートポールによりサポートポールユニットを組成し、該テントフレームポールは、２個のサポートポールユニットを備え、該両側のサポートポールユニットの間には、横方向連ポールを連接し、該２個のサポートポールユニットに対応し、それぞれ中間サポートポールを設置し、
好ましくは、コントロール機構は、該両側の中間サポートポール底端に連接する２本の牽引ロープを備え、該各牽引ロープには、それぞれロープリールを設置し、該駆動装置は、回転ポールを備え、該回転ポール両端は、該両側のロープリールにそれぞれ連接し、該両側のロープリールをシンクロ駆動し、
好ましくは、回転ポール上には、ウォームギアを固定式に嵌めて接続し、ウォームポールを設置し、該ウォームギアと噛み合い、該回転ポールを駆動し、該ウォームポールには、ハンドルを連接し、
好ましくは、底台内には、該両側の中間サポートポール底端とそれぞれ対応するスライドレールを設置し、該各スライドレールの延伸方向に沿って、線溝を備え、該両側の線溝の末端には、該ロープリールを収納する収容設置溝をそれぞれ備え、両側の収容設置溝の間には、ピボット溝を連通し、
該回転ポールは、該ピボット溝内に位置し、該ロープリールは、該収容設置溝内に位置し、該牽引ロープは、該線溝内に位置し、
好ましくは、横方向連ポールは、該両側の前サポートポールとの間に連接する直ポール、該両側の後サポートポールとの間に連接するU形湾ポールを備え、
好ましくは、該牽引ロープには、２個の定スライドホイールを設置し、該２個の定スライドホイール間には、挟溝を形成し、該牽引ロープは、その内の１個の定スライドホイールのスライド溝、２個の定スライドホイール間の挟溝、もう１個のスライドホイールのスライド溝を順番に通過し、
好ましくは、ウォームポールには、モーターを連接し、該ウォームポールを駆動し、該底台内には、該両側の中間サポートポール底端とそれぞれ対応するスライドレールを設置し、該スライドレール両端には、該モーターの正反転の行程をコントロールするリミットスイッチを設置する。
【発明の効果】
【０００７】
本発明の展開/収納可能なテントフレームは、中間サポートポール頂端をテントフレームポール上に可動状に接続することで、その底端は、底台上にスライド式に可動状に接続し、中間サポートポール底端の、底台上でのスライド移動をコントロールすることで、テントの折り畳み収納或いは展開を迅速に実現することができ、その構造は簡単で、しかも操作は極めて便利である。
さらに、中間サポートポールには、中間サポートポール底端のスライド移動をコントロールするコントロール機構を設置し、牽引ロープの自由端を、中間サポートポールの底端に連接することで、駆動装置を利用し、ロープリールの巻き取り、或いは釈放を駆動し、テントの折り畳み収納或いは展開を迅速に実現することができ、その操作はより簡便で、しかも自動化レベルが高い。
【図面の簡単な説明】
【０００８】
【図１】本発明第一実施例の構造模式図である。
【図２】図１中A位置の局部拡大模式図である。
【図３】図１中B位置の局部拡大模式図である。
【図４】図１中C位置の局部拡大模式図である。
【図５】本発明第一実施例の組立て完成を示す立体構造模式図である。
【図６】本発明第一実施例の局部分解模式図である。
【図７】図５に示すテントの完全展開時のH方向からの模式図である。
【図８】図５に示すテントの折り畳み収納過程におけるH方向からの模式図である。
【図９】図５に示すテントの完全折り畳み収納後のH方向からの模式図である。
【図１０】図７中D位置の局部拡大模式図である。
【図１１】本発明第二実施例の立体組立て構造模式図である。
【図１２】本発明第二実施例の局部分解模式図である。
【図１３】本発明第一実施例の応用状態模式図である。
【図１４】図１０に示す応用状態の別の角度からの模式図である。
【図１５】図１１中E位置の局部拡大模式図である。
【図１６】図１１中F位置の局部拡大模式図である。
【発明を実施するための形態】
【０００９】
以下に図面を参照しながら本発明を実施するための最良の形態について詳述する。
【００１０】
図１〜１０に示すように、本発明第一実施例は、底台10、底台10上に設置し、展開/収納可能なテントフレームポール、及びテントフレームポールの収納/展開をコントロールする中間サポートポール23を備える。中間サポートポール23頂端は、テントフレームポール上の固定位置に可動状に接続し、その底端は、底台10上にスライド式に可動状に接続する。
【００１１】
中間サポートポール23が、その底端の、底台10上でのスライド移動を利用し立ち上がると、テントフレームポールはこれに従い展開される。中間サポートポールが、その底端の、底台10上でのスライド移動を利用し傾倒すると、テントフレームポールはこれに従い折り畳み収納される。
【００１２】
テントフレームポールは、２個のサポートポールユニット20を備え、しかも両側のサポートポールユニット20の間には、横方向連ポールを連接する。本実施例では、各サポートポールユニット20は、前サポートポール21、後サポートポール22を備える。両側の前サポートポール21は、平行に設置され、及び両側の後サポートポール22も、平行に設置され、両側の前サポートポール21間には、直ポール24を連接し、両側の後サポートポール22間には、U形湾ポール25を可動状に接続する。
【００１３】
中間サポートポール23の数は２個で、それは後サポートポール22上にそれぞれ可動状に接続する。後サポートポール22は、相互に向かい合わせに折れる上サポートポール221と下サポートポール222を備える。上サポートポール221頂端は、前サポートポール21頂端に可動状に接続し、前サポートポール21底端と下サポートポール222底端とは、底台10上にそれぞれ可動状に接続する。
【００１４】
中間サポートポール23には、中間サポートポール23底端のスライド移動をコントロールするコントロール機構を設置する。コントロール機構は、牽引ロープ31、牽引ロープ31を巻きつけるロープリール32、ロープリール32を駆動し、牽引ロープ31を巻きつけ/釈放する駆動装置を備える。牽引ロープ31の自由端は、中間サポートポール23底端に連接する。
【００１５】
駆動装置は、回転ポール33を備え、回転ポール33両端は、両側のロープリール32にそれぞれ連接する。回転ポール33の設置により、両側の中間サポートポール23は確実にシンクロ運動し、これにより両側のサポートポールユニット20は、確実にシンクロ展開或いは折り畳み収納される。
【００１６】
回転ポール33上には、ウォームギア34を固定式に嵌めて接続し、ウォームポール35を設置し、ウォームギア34と噛み合い、回転ポール33を駆動する。ウォームポール35には、ハンドル36を連接する。手でハンドル36を回すことで、ウォームポール35とウォームギア34の伝動により、ロープリール32を連動し、巻き取り、或いは釈放を行い、中間サポートポール23底端のスライド移動をコントロールする。こうして、テントフレームの展開或いは折り畳み収納を実現する。本実施例において、テント100の折り畳み収納過程は、図７〜９に示し、その展開過程は、その反対である。
【００１７】
底台10内には、両側の中間サポートポール23底端とそれぞれ対応するスライドレール13を設置する。各スライドレール13の延伸方向に沿って線溝121を備える。両側の線溝121の末端には、ロープリール32を収納する収容設置溝122をそれぞれ備え、両側の収容設置溝122の間には、ピボット溝111を連通する。回転ポール33は、ピボット溝111内に位置し、ロープリール32は、収容設置溝122内に位置し、牽引ロープ31は、線溝121内に位置する。
【００１８】
図６に示すように、本実施例は、底台10四辺に、底フレーム長管11、底フレーム短管12を設置することで、ピボット溝111と線溝121を形成する。図１０に示すように、牽引ロープ31には、２個の定スライドホイール37を設置する。２個の定スライドホイール37間には、挟溝を形成する。牽引ロープ31は、線溝121を経由して、その内の１個の定スライドホイール37のスライド溝、２個の定スライドホイール37間の挟溝、もう１個の定スライドホイール37のスライド溝を順番に通過し、さらに中間サポートポール23底端に連接する。
【００１９】
続いて、図１１、１２に示すように、本発明第二実施例の構造は、第一実施例とおおよそ相同である。両者の相違点は、ウォームポール35連動の方式である。本実施例では、ハンドル36の他に、さらにモーター71、及び相互に噛み合う第一伝動ギア72と第二伝動ギア73を設置する。第一伝動ギア72と第二伝動ギア73は、ギアボックス74内に設置する。モーター71は、第一伝動ギア72に軸接続し、第二伝動ギア73一端は、ウォームポール35に軸接続し、その反対端は、ハンドル36に軸接続する。スライドレール13両端には、モーター71の正反転の行程をコントロールするリミットスイッチを設置する。
【００２０】
こうして、ハンドル36を用いて手動でテントフレームの収納/展開を行うことができ、またモーター71を用いてウォームポール35を駆動し、テントフレームの自動収納/展開を行うことができる。別に、モーター71にはさらに、コントローラーを増設し、テントフレームの収納/展開のリモートコントロールを実現することもできる。
【００２１】
本発明のテント100は、地面等において使用できる他、自動車の200トップ部に固定して使用することもできる。例えば、曇天/雨天で地面が湿っている、或いは場所が使用において不便な場合に、テント100を自動車200ルーフトップに設置しての使用は、なかなか良い選択である。
【００２２】
第一実施例を用いて説明する。図１３〜１６に示すように、テント100を、自動車200ルーフトップに設置する応用状態では、テント100は、その底台10下方に設置する高度調節フレーム50により、自動車200ルーフトップと連接する。高度調節フレーム50は、テント100を安定的に自動車200ルーフトップに連接することができる他、テント100は、自動車200ルーフトップに対して高度を調節することができる。
【００２３】
テント100の底台10下方には、引き伸ばして伸縮させられるはしご40を設置する。使用時には、はしご40を引き伸ばし、地面と自動車200ルーフトップとの間に設置する。使用しない時には、收縮させ、テント100の底台10と自動車200ルーフトップとの間に収納する。こうして、はしご40により、使用者は自動車200ルーフトップのテント100内に出入りすることができる。
【００２４】
本発明は、中間サポートポール頂端をテントフレームポール上に可動状に接続することで、その底端は、底台上にスライド式に可動状に接続され、中間サポートポール底端の、底台上でのスライド移動をコントロールすることで、テントの折り畳み収納或いは展開を迅速に実現することができ、その構造は簡単で、しかも操作は極めて便利である。
【００２５】
さらに、中間サポートポールには、中間サポートポール底端のスライド移動をコントロールするコントロール機構を設置し、牽引ロープの自由端を、中間サポートポールの底端に連接することで、駆動装置を利用し、ロープリールの巻き取り、或いは釈放を駆動し、テントの折り畳み収納或いは展開を迅速に実現することができ、その操作はより簡便で、しかも自動化レベルが高い。
【００２６】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００２７】
本発明は特許の要件である新規性を備え、従来の同類製品に比べ十分な進歩性を有し、実用性が高く、社会のニーズに合致しており、産業上の利用価値は非常に大きい。
【符号の説明】
【００２８】
100：テント
200：自動車
10：底台
11：底フレーム長管
111：ピボット溝
12：底フレーム短管
121：線溝
122：収容設置溝
13：スライドレール
20：サポートポールユニット
21：前サポートポール
22：後サポートポール
221：上サポートポール
222：下サポートポール
23：中間サポートポール
24：直ポール
25：U形湾ポール
31：牽引ロープ
32：ロープリール
33：回転ポール
34：ウォームギア
35：ウォームポール
36：ハンドル
37：定スライドホイール
40：はしご
50：高度調節フレーム
71：モーター
72：第一伝動ギア
73：第二伝動ギア
74：ギアボックス
【図１】
2014522927.tif 000003
【図２】
2014522927.tif 000004
【図３】
2014522927.tif 000005
【図４】
2014522927.tif 000006
【図５】
2014522927.tif 000007
【図６】
2014522927.tif 000008
【図７】
2014522927.tif 000009
【図８】
2014522927.tif 000010
【図９】
2014522927.tif 000011
【図１０】
2014522927.tif 000012
【図１１】
2014522927.tif 000013
【図１２】
2014522927.tif 000014
【図１３】
2014522927.tif 000015
【図１４】
2014522927.tif 000016
【図１５】
2014522927.tif 000017
【図１６】
2014522927.tif 000018
【国際調査報告】
2014522927.tif 000019
2014522927.tif 000020
2014522927.tif 000021
2014522927.tif 000022
2014522927.tif 000023
2014522927.tif 000024